(57)【要約】 【課題】  携帯性に優れるとともに、使用時には首の正常なカーブを理想的にサポートするのに適した形状となる携帯用枕を提供する【解決手段】  本発明の携帯用枕は、中材が封入された首支持部１と袋状の頭支持部２が、一体として形成されている。頭支持部２には、タオル挿入口４にタオル等を挿入することにより、頭に位置を適度な高さに調整することができる。頭支持部２の下にタオル等を置いて、頭支持部２をタオルに被せて用いてもよい。携帯時には、首支持部１に頭支持部２を巻きつけて、棒状にして持ち運ぶことができる。【選択図】        図１
2007143621.tif 000002
【特許請求の範囲】
【請求項１】
袋状の内部に中材が封入された首支持部と、中材の封入されていない頭支持部とが一体として形成された携帯用枕。
【請求項２】
頭支持部は中空の袋状に形成されていて、首支持部と縫合される面を除く外周部の少なくとも一部に中材の挿入口が設けられていることを特徴とする請求項１記載の携帯用枕。
【請求項３】
首支持部は、使用時において頚椎に平行する辺が１０〜１５ｃｍの長さとなっていて、使用時における床面からの高さが５〜７ｃｍとなるように中材が封入されていることを特徴とする請求項１又は２記載の携帯用枕。
【発明の詳細な説明】
【技術分野】
【０００１】
本発明は、携帯性に優れていて、かつ使用時の形状にも配慮した携帯用枕に関するものである。
【背景技術】
【０００２】
一般に自宅等で使用される枕は形状が固定されていて、持ち運びにはサイズが大きく嵩張るために、出張時や旅行時に携帯するには適さないことが通常である。一方で、ホテル等の備え付けの枕では寝心地が悪い、移動中の飛行機の機内等で仮眠する際に枕を使用したいといったニーズに応えるために、持ち運びの便を考慮した形状の携帯用枕が提案されている。
【０００３】
かかる携帯用枕は、持ち運び時にコンパクトに収納できるものであることが必要である。コンパクトな収納を可能にする手段として、例えば、枕に空気管を設けて空気管から内部の空気を抜くことにより携帯性を高める考案や（特許文献１参照。）、本体を板状にして携帯性を高めるとともに、使用時には本体に設けられた切込みに丸めた雑誌を装着させることによって枕の形状に膨らませる考案（特許文献２参照。）、密閉袋状で携帯性に優れた枕にガス充填具を備えることによって、使用時にはガスにより枕を膨らませる考案（特許文献３参照。）などが開示されている。
【０００４】
【特許文献１】実用新案登録第３０５９３５４号公報
【特許文献２】実用新案登録第３０３６５１４号公報
【特許文献３】実用新案登録第３０１０８００号公報
【発明の開示】
【発明が解決しようとする課題】
【０００５】
上記のそれぞれの考案によれば、枕を持ち運び時にコンパクトに収納することが可能になる。しかしながら、携帯用枕においてさらに配慮されるべき点は、枕の使用時の形状である。具体的には、首や頭部に適度にフィットして使用感が優れており、睡眠時の姿勢を良好に維持できるように首から頚椎のカーブを自然に無理なく保てる形状であることが好ましい。上記の発明は、いずれも枕として使用することは可能であるものの、このような観点から使用時の形状に配慮されたものではない。
【０００６】
本発明の発明者は、睡眠時には上向きとなって良好な姿勢を維持するのに適した枕として、単に首から頭部にフィットさせ形状を形成させるだけでなく、顔が前傾した好ましくない姿勢が固定されることを防止し、首の正常なカーブを理想的にサポートするのに適した枕を提供している（http://www.kizuchiro.com/pillow/index.html）。携帯用枕においても、使用時においては可能な限りこの形状に近い状態で使用できることが好ましい。
【０００７】
本発明は、このような課題を解決するためになされたものであり、携帯性に優れるとともに、使用時には首の正常なカーブを理想的にサポートするのに適した形状となる携帯用枕を提供することを目的とするものである。
【課題を解決するための手段】
【０００８】
このような課題を解決する本発明は、袋状の内部に中材が封入された首支持部と、中材の封入されていない頭支持部とが一体として形成された携帯用枕である。
【０００９】
本発明によると、首支持部には中材が封入されているため、使用時には首のカーブを適度にサポートすることが可能となっており、かつ頭支持部には中材が封入されていないため、携帯時には頭支持部を首支持部に巻きつけることによって、コンパクトな状態で持ち運ぶことが可能になる。使用時には、頭支持部の下にタオル等を置き、頭支持部の端側からタオル等を包むことによって、タオル等の高さで頭部の位置を調整するとともに、睡眠中にタオル等の位置がずれることを防止することができる。
【００１０】
本発明では、頭支持部の側面の長さを長めにとることとすると、飛行機等の座席で仮眠する場合には、首支持部を首の下に固定させて、頭支持部の端側を顔の前面に折り返して目の部分を覆うことにより、アイマスクの機能も兼ねることができる。
【００１１】
また、本発明は、頭支持部は中空の袋状に形成されていて、首支持部と縫合される面を除く外周部の少なくとも一部に中材の挿入口が設けられていることを特徴とすることもできる。
【００１２】
このように構成すると、使用時には、挿入口からタオル等を中材として挿入することにより、タオル等の高さで頭部の位置を調整するとともに、睡眠中におけるタオル等の位置ずれを、より確実に防止することができる。
【００１３】
さらに、本発明は、首支持部は、使用時において頚椎に平行する辺が１０〜１５ｃｍの長さとなっていて、使用時における床面からの高さが５〜７ｃｍとなるように中材が封入されていることを特徴としてもよい。
【００１４】
携帯用の枕であっても、使用時にはできるだけ首の正常なカーブを理想的にサポートするのに適した形状であることが好ましい。かかる点を考慮すると、上記の首支持部の辺の長さ、床面からの高さが好適である。
【発明の効果】
【００１５】
本発明によって、携帯性に優れるとともに、使用時には首の正常なカーブを理想的にサポートすることが可能な携帯用枕が提供される。この携帯用枕は、アイマスクとして兼用することも可能である。
【発明を実施するための最良の形態】
【００１６】
本発明の実施形態について、図１〜図６を用いて以下に詳細に説明する。尚、以下に説明する実施形態は本発明にかかる携帯用枕の一例であって、携帯用枕に用いられる材料、縦横のサイズ、デザインなどは、かかる実施例に限定されるものではない。
【００１７】
図１は、本発明にかかる携帯用枕の斜視図である。図２は、本発明にかかる携帯用枕の上面図である。図３は、本発明にかかる携帯用枕の側面図である。図４は、本発明にかかる携帯用枕の使用状態を示す図である。図５は、本発明にかかる携帯用枕を使用可能にした状態の第１例を示す図である。図６は、本発明にかかる携帯用枕を使用可能にした状態の第２例を示す図である。図７は、本発明にかかる携帯用枕の携帯時の状態を示す図である。
【００１８】
本発明にかかる携帯用枕は、図１に示したように、中材が封入された首支持部１と袋状の頭支持部２が、一体として形成されている。首支持部１と袋状の頭支持部２の接合方法について特に限定されるものではないが、一枚の生地を袋状に形成し、袋の底辺部分から首支持部１に適した長さの部分に縫合部３を設けて縫合して、このように形成された首支持部１に中材を封入することによって、一体に形成することが可能になる。
【００１９】
尚、首支持部１と頭支持部２に用いられる生地についても特に限定されるものではないが、使用時の肌触りを考慮すると綿生地を用いることが好ましい。首支持部１に挿入される中材についても特に限定されるものではないが、ポリエチレンの小粒パイプを用いると、ゴミやホコリが全く発生しないとともに、柔らかい感覚で首にフィットするため、好適である。このように好適な素材で構成すると、枕をそのまま丸洗いできるという利点も生じる。
【００２０】
頭支持部２は袋状に形成されており、縫合部３の対面となる端側の辺に、タオル挿入口４が設けられている。頭支持部２には、タオル挿入口４にタオル等を折り畳んで挿入することにより、頭の位置を適度な高さに調整することができる。タオル挿入口４に挿入されるものは特に限定されるものではないが、携帯用枕を使用する場所が、ホテル、飛行機の機内等であることを考慮すると、タオルが最も用いられやすいと考えられる。
【００２１】
使用者がタオル等を挿入するのが面倒な場合には、頭支持部２の下に折り畳んだタオル等を置いて、頭支持部２をタオル等に被せて用いることとしてもよい。この場合は、タオル挿入口４の側をタオル等を包むように折り返し、タオル等の下に敷くことによって、睡眠中に使用者の動きによってタオルの位置が動くことを防止しやすくなる。このような使用法を考慮すると、頭支持部２については、必ずしも袋状であることは要件ではなく、一枚の生地からなるものであってもよい。
【００２２】
この携帯枕を携帯する際には、首支持部１に頭支持部２を巻きつけることによって、首支持部１のみに近い形状の棒状にして持ち運ぶことができる。平形の枕を携帯する場合に比べると、著しく携帯性に優れた形状となる。
【００２３】
図２は、本発明にかかる携帯用枕の上面図（使用状態に拡げて上から見た図）である。首支持部１と頭支持部２は、それぞれおおよそ長方形の形状（角部に丸みを持たせるなど、厳密な長方形でなくてもよい。）で形成されている。好適なサイズとして、例えば、首支持部１の上面（使用時において頚椎に直交する辺）の長さは３５〜４０ｃｍ、首支持部１の側面（使用時において頚椎に平行する辺）の長さは１０〜１５ｃｍ（より好ましくは１２ｃｍ）、頭支持部２の側面（縫合部３と直交する辺）の長さは４５〜５５ｍとすることができる。頭支持部２の上面と底面（縫合部３と接する辺と平行する辺）の長さは、首支持部１の上面と同じになるのが通常であるが、これと異なるものであってもよい。
【００２４】
尚、頭支持部２の側面を長めにとることとすれば、飛行機等の座席において仮眠する場合に、首支持部１を首の下に固定させて、頭支持部２のタオル挿入口４側を顔の前面に折り返して目の部分を覆うことにより、アイマスクの機能も兼ねることができる。
【００２５】
図３は、本発明にかかる携帯用枕の側面図（使用状態に拡げて横から見た図）である。首支持部１にはファスナーで開閉可能な中材挿入口５が設けられ、内部には中材が封入されている。中材にはポリエチレンの小粒パイプを用いることが好ましいのは、先に説明したとおりである。中材が封入された首支持部の高さは、使用時において床面（布団やベッドの表面）から５〜７ｃｍ程度にすることが、使用時にはできるだけ首の正常なカーブを理想的にサポートするためには好ましい。頭支持部２は中空となっており、タオル挿入口４からタオル等を挿入して、高さを調節することができる。
【００２６】
図４は、本発明にかかる携帯用枕の使用状態を示す図である。首支持部１の高さは首の正常なカーブを理想的にサポートするのに適しており、頭支持部２の高さは、挿入するタオル等の厚みによって調整することが可能である。携帯用枕でありながら、使用者は無理のない理想的な体勢で睡眠をとることができる。
【００２７】
図５は、本発明にかかる携帯用枕を使用可能にした状態の第１例として、タオル挿入口４から折り畳んだタオル６を挿入した状態を示している。タオル６は頭支持部２に挿入され、位置が固定されるため、睡眠時に使用者が寝返り等の際に枕を動かしたとしても、タオルの位置がずれてしまうことはない。
【００２８】
図６は、本発明にかかる携帯用枕を使用可能にした状態の第２例として、折り畳んだタオル６を床面（布団やベッドの表面）に置き、その上に頭支持部２を被せた状態を示している。タオル挿入口４側の面を折り畳んだタオル６を包んでタオル６の下に折り込むことにより、タオル６は頭支持部２に挟まれて動きにくい状態となるため、睡眠時に使用者が寝返り等の際に枕を動かしたとしても、タオルの位置がずれにくくなる。
【００２９】
図７は、本発明にかかる携帯用枕の携帯時の状態を示す図である。頭支持部２を首支持部１の周囲に巻きつけることによって、枕全体が首支持部１とほぼ同じ棒状のコンパクトな形状となるため、持ち運びの便に優れている。
【図面の簡単な説明】
【００３０】
【図１】本発明にかかる携帯用枕の斜視図である。
【図２】本発明にかかる携帯用枕の上面図である。
【図３】本発明にかかる携帯用枕の側面図である。
【図４】本発明にかかる携帯用枕の使用状態を示す図である。
【図５】本発明にかかる携帯用枕を使用可能にした状態の第１例を示す図である。
【図６】本発明にかかる携帯用枕を使用可能にした状態の第２例を示す図である。
【図７】本発明にかかる携帯用枕の携帯時の状態を示す図である。
【符号の説明】
【００３１】
１  首支持部
２  頭支持部
３  縫合部
４  タオル挿入口
５  中材挿入口
６  タオル
【図１】
2007143621.tif 000003
【図２】
2007143621.tif 000004
【図３】
2007143621.tif 000005
【図４】
2007143621.tif 000006
【図５】
2007143621.tif 000007
【図６】
2007143621.tif 000008
【図７】
2007143621.tif 000009